(57)【要約】【課題】  スキー板等のエッジを削るためのファイルを、折りたい場所で正確に真っ直ぐに曲げ折りできるようにする。【解決手段】  バー状のファイル２０の切断治具Ｍであって、板状の治具本体１の端面に、ファイル２０の先端を曲げ折り切除する際に、その切除寸法分だけ挿入可能なファイル挿入孔２、３を形成し、そのファイル挿入孔２、３の断面寸法を、挿入しようとする各ファイル２０の断面寸法に対応させた。治具本体１は、第１の鋼板１１の上に、凹溝を有する第２の鋼板１２を接合することで構成し、凹溝でファイル挿入孔２、３を形成した。治具本体１の端部にクランプ用の保持部５を設け、治具本体の底面に滑り止め４を設けた。【選択図】 図２
2005324279.tif 000002
【特許請求の範囲】
【請求項１】
スキー板等のエッジを削るためのファイルの切断治具であって、
前記切断治具本体の端面に、前記ファイルの先端を曲げ折り切除する際にその切除寸法分だけ挿入可能なファイル挿入孔を形成し、そのファイル挿入孔の断面寸法を、挿入しようとする前記ファイルの断面寸法に対応させたことを特徴とするファイルの切断治具。
【請求項２】
断面寸法の異なる複数の前記ファイルに対応するため、断面寸法の異なる前記ファイル挿入孔が複数形成されていることを特徴とする請求項１に記載のファイルの切断治具。
【請求項３】
前記治具本体を、第１の板材の上に、凹溝を有する第２の板材を接合することで構成し、前記凹溝により前記ファイル挿入孔を形成したことを特徴とする請求項１または２に記載のファイルの切断治具。
【請求項４】
前記第１の板材の板面上の片側に寄せて、第１の板材よりも小さく形成した前記第２の板材を接合することにより、第１の板材の残る片側の部分を、第１の板材の厚みだけの薄板部として確保したことを特徴とする請求項３に記載のファイルの切断治具。
【請求項５】
前記治具本体の底面に滑り止めを設けたことを特徴とする請求項１〜４のいずれかに記載のファイルの切断治具。
【発明の詳細な説明】
【技術分野】
【０００１】
本発明は、スキー板やスノーボード等のエッジの角度を調整するためのファイル（ヤスリ）の切断治具に関するものである。
【背景技術】
【０００２】
スキー板やスノーボードの側部にある金属のエッジは、滑走性や操作性に大きく影響するため、特に競技用の場合には、所望の角度に調整している。その調整用の道具として、例えば特許文献１に記載のスキー板用シャープナー、特許文献２に記載のスキー用エッジ研磨具、等が提案されているが、スキーマニアの世界では、一般にファイルと呼ばれる平型ヤスリ形状を有する専用ヤスリを用いてエッジを削り、その角度を調整している。
【０００３】
しかし、当該ファイルを用いてスキーのエッジを削って調整する際、ファイルの先端部を用いることが適宜なため、ファイルの先端部が摩耗して徐々に削り難くなる。そこで、ファイルの未使用の部分を次々に用いるが、作業を行う上で、ファイルの先端が長過ぎると、他の箇所に当たってしまい、作業がしづらくなる。そのため、使用済みの先端部分は切除し、新たな未使用先端部を形成してファイル全体を使いきっている。
【０００４】
このファイルの使用済みの先端部分を切除する方法として、従来では、例えば、水平な床と垂直な壁の間にファイルを斜めに立てかけて、ハンマーで真ん中を叩いて折る方法を採っている。
【０００５】
【特許文献１】特開平１０−１１８２４１号公報
【特許文献２】登録実用新案第３０１５１１０号公報
【発明の開示】
【発明が解決しようとする課題】
【０００６】
しかし、従来のようにファイルを壁と床の間に斜めに立てかけてハンマーで叩き折る方法は、
（１）折りたい場所で正確に折れない；
（２）切断面が凹凸になり、鋭利な形状ができやすく、安全作業に相応の配慮が必要；
（３）折れたファイルの破片が飛散しやすい；
（４）ファイルは硬質の金属でできているため簡易に切断できない；等の問題があった。
さらに、ファイルにはヤスリ目が斜行して繰り返し形成されているため、叩き折る際、このヤスリ目の谷部が切り欠効果を発揮しヤスリ目に沿ってファイルが折れてしまう、こうなると当該部に鋭利な箇所ができてしまい、上述した問題と重なってしまう。
【０００７】
本発明は、上記事情を考慮し、折りたい場所で正確に真っ直ぐにファイルを曲げ折りすることができ、しかも、切断片の飛散を防止しながら、簡単にファイルを切断することのできる切断治具を提供することを目的とする。
【課題を解決するための手段】
【０００８】
請求項１の発明は、スキー板等のエッジを削るためのファイルの切断治具であって、前記切断治具本体の端面に、前記ファイルの先端を曲げ折り切除する際にその切除寸法分だけ挿入可能なファイル挿入孔を形成し、そのファイル挿入孔の断面寸法を、挿入しようとする前記ファイルの断面寸法に対応させたことを特徴とする。
【０００９】
請求項２の発明は、請求項１において、断面寸法の異なる複数の前記ファイルに対応させて、前記ファイル挿入孔を複数形成したことを特徴とする。
【００１０】
請求項３の発明は、請求項１または２において、前記治具本体を、第１の板材の上に、凹溝を有する第２の板材を接合することで構成し、前記凹溝により前記ファイル挿入孔を形成したことを特徴とする。
【００１１】
請求項４の発明は、請求項３において、前記第１の板材の板面上の片側に寄せて、第１の板材よりも小さく形成した前記第２の板材を接合することにより、第１の板材の残る片側の部分を、第１の板材の厚みだけの薄板部として確保したことを特徴とする。
【００１２】
請求項５の発明は、請求項１〜４のいずれかにおいて、前記治具本体の底面に滑り止めを設けたことを特徴とする。
【発明の効果】
【００１３】
請求項１の発明の切断治具を用いれば、安全に、きれいに、しかも簡単に、切断したい箇所でファイルを正確に切断することができる。
【００１４】
即ち、ファイルの先端をある寸法分だけ切断したい場合は、例えば、まず、テーブル等の台上に板状の治具本体を載せて（万力等で保持してもよい）、治具本体の端面に開口したファイル挿入孔に、ファイルの先端を、切除寸法分だけ挿入する。そして、その状態で、治具本体をクランプしながら（クランプ具を用いて押さえてもよいし、手で押さえてもよい）、切断治具から飛び出しているファイル部分に、ファイルの長手方向に交差する方向の力（曲げ力）を加えることで、ファイルを曲げ折ることができる。
【００１５】
その際、治具本体のファイル挿入孔の孔縁部分が、ファイルを曲げ折りする際の支点となるため、ファイル上のその支点に当たる箇所に極大の曲げ応力が発生して、ファイルが折れる。従って、折れる箇所が治具により確定されることになり、折りたい箇所で、きれいに真っ直ぐにファイルが折れる。また、ハンマーで叩かずとも、曲げ折りする箇所に破断力を集中させることができるので、小さい力で、破片もあまり発生することなくファイルを折ることができ、破断面が凹凸になって、鋭利な形状を生じることもない。また、切除する部分は、ファイル挿入孔の内部に残るので、それが反動で飛び上がるようなこともなく、切断作業を安全に行うことができる。
【００１６】
また、ファイル挿入孔の断面寸法は、挿入され所定の箇所で切断すべきファイルの断面寸法に対応させて、当該ファイルが容易に挿入され、且つ挿入後に安定するのに必要十分な遊びを設けた寸法としてあるので、サイズ違いのファイルを挿入ミスする心配もない。また、板状の治具本体の端面にファイル挿入孔を形成しただけの簡単な構成であるから、加工コストもかからず、携帯できる大きさ及び重量に製作することができ、使い勝手もよい。
【００１７】
請求項２の発明によれば、断面寸法の異なる複数のファイルに対応させて、ファイル挿入孔を複数形成したので、サイズ違いのファイルの切断を１つの切断治具で行うことができる上、サイズを合わせることにより無理な応力が緩和されるので治具の耐久性が向上される。
【００１８】
請求項３の発明によれば、治具本体を、第１の板材の上に、凹溝を有する第２の板材を接合することで構成し、凹溝によりファイル挿入孔を形成したので、容易に低コストで切断治具を作製することができる。また、凹溝を矩形断面の溝にすることは極めて容易であるから、ファイルの断面形状（長方形断面）にファイル挿入孔の断面寸法を容易に対応させることができる。
【００１９】
請求項４の発明によれば、第１の板材の厚みだけの薄板部を確保しているので、その部分をクランプ用の保持部として使用することができ、確実に台上や万力等に切断治具を固定できる。また、薄板部を広くとることで、特別なクランプ装置を使用しないでも、手で押さえながら安定した姿勢で、ファイルの切断を行うことができる。
【００２０】
請求項５の発明はによれば、治具本体の底面に滑り止めを設けたので、切断治具をテーブル等の台の上に載せる場合でも、滑らずに安定した姿勢でファイルの切断を行うことができ、作業の安全を図ることができる。
【発明を実施するための最良の形態】
【００２１】
以下、本発明の実施形態を図面に基づいて説明する。
図１は実施形態のファイルの切断治具の構成図で、（ａ）は斜視図、（ｂ）は分解正面図、図２は同切断治具の使用時の状態を示し、（ａ）は斜視図、（ｂ）は（ａ）図のＩＩｂ−ＩＩｂ矢視断面図である。
【００２２】
この切断治具Ｍは、スキー板やスノーボード等のエッジを削るためのバー状のファイル２０の切断治具であり、鋼材よりなる板状の治具本体１の端面に、ファイル２０の先端を曲げ折り切除する際に、その切除寸法分だけ挿入可能なファイル挿入孔２、３を備えている。ファイル挿入孔２、３は、断面寸法の異なる複数のファイル２０に対応させて複数（図示例では２個）設けられており、それぞれが反対側の端面まで貫通している。また、各ファイル挿入孔２、３の断面寸法は、挿入しようとするサイズ違いのファイル２０の断面寸法に対応させてある。
【００２３】
ファイル挿入孔２、３の断面は、ファイル２０の断面に対応した長方形をなしており、それらファイル挿入孔２、３の断面の長辺方向が、板状の治具本体１の板面と平行に設定されている。そして、複数のファイル挿入孔２、３は、板状の治具本体１の端面の長手方向に並べて適当な間隔をおいて配置されている。
【００２４】
治具本体１は、２つの矩形板部１１ａ、１１ｂよりなる平面Ｌ字形の第１の鋼板（板材）１１の一方の矩形板部１１ａの上面に、下面に凹溝２ａ、３ａを有する第２の鋼板（板材）１２を載せて溶接することにより構成されており、凹溝２ａ、３ａによりファイル挿入孔２、３が形成されている。この場合、第２の鋼板１２は、平面Ｌ字形の第１の鋼板１１の一方の矩形板部１１ａと同じ大きさに形成されており、矩形板部１１ａの幅方向に平行に凹溝２ａ、３ａが設けられている。従って、凹溝２ａ、３ａにより形成されるファイル挿入孔２、３は、第２の鋼板１２の幅寸法Ａ分の長さを有している。
【００２５】
また、第１の鋼板１１の一方の矩形板部１１ａの上面にだけ、第２の鋼板１２が重ねて接合されていることにより、他方の矩形板部１１ｂが、そのまま、第１の鋼板１１の厚みだけの薄板状の保持部（薄板部）５として残されている。また、第１の鋼板１１の底面全体には、スポンジや樹脂等の滑り止め４が貼り付けられている。
【００２６】
次に、この切断治具Ｍを用いてファイル２０を切断する場合について説明する。
ファイル２０の先端を、ある寸法分だけ切断したい場合は、まず、図２に示すように、テーブルＴの上に板状の切断治具Ｍを載せて、治具本体１の端面に開口したファイル挿入孔２（または３）に、ファイル２０の先端を切除寸法分だけ挿入する。そして、その状態で、切断治具Ｍの保持部５をクランプ具１０を用いてクランプし（手で押さえてもよい）、切断治具Ｍから飛び出しているファイル２０の部分に、上から手で下向きの曲げ力Ｐを加える。そうすることで、ファイル２０を、安全に、きれいに、しかも簡単に、切断したい箇所で正確に切断することができる。
【００２７】
即ち、このように曲げ力を加えた際、ファイル挿入孔２の孔縁部分が、ファイル２０を曲げ折りする際の支点となるため、ファイル２０上のその支点に当たる箇所に極大の曲げ応力が発生して、ファイル２０が折れる。従って、折れる箇所が治具Ｍにより確定されることになり、折りたい箇所で、きれいに真っ直ぐにファイル２０が折れる。また、従来のようにハンマーで叩かずとも、曲げ折りする箇所に破断力を集中させることができるので、小さい力で、破片もあまり発生することなく、ファイル２０を折ることができ、破断面が凹凸になって、鋭利な形状を生じることがない。また、切除する部分２１は、ファイル挿入孔２の内部に残るので、それが反動で飛び上がるようなこともなく、切断作業を安全に行うことができる。
【００２８】
また、ファイル挿入孔２、３の断面寸法は、切断すべきファイル２０の断面寸法に対応させてあるので、サイズ違いのファイル２０を挿入ミスする心配もない。また、板状の治具本体１の端面に、ファイル挿入孔２、３を形成しただけの簡単な構成であるから、加工コストもかからず、携帯できる大きさ及び重量に製作することができ、使い勝手もよい。
【００２９】
また、断面寸法の異なる複数のファイル２０に対応させて、ファイル挿入孔２、３を複数形成してあるので、サイズ違いのファイル２０の切断を１つの切断治具Ｍで行うことができるし、治具本体１を、第１の鋼板１１の上に、凹溝２ａ、３ａを有する第２の鋼板１２を接合することで構成してあるので、治具Ｍを容易に低コストで作製することができる。また、凹溝２ａ、３ａを矩形断面の溝にすることは極めて容易であるから、ファイル２０の断面形状（長方形断面）にファイル挿入孔２、３の断面寸法を容易に精度良く対応させることができ、切断時の性能やファイルの挿入性の良さを確保することができる。
【００３０】
また、薄板状の保持部５を利用して治具Ｍをクランプできるようにしているので、確実に台上や万力等に切断治具Ｍを固定できる。また、保持部５を広くとることで、特別なクランプ装置を使用しないでも、手で押さえながら安定した姿勢で、ファイル２０の切断を行うこともできる。
【００３１】
また、治具本体１の底面には滑り止め４を設けてあるので、切断治具ＭをテーブルＴ等の台の上に載せる場合でも、滑らずに安定した姿勢でファイル２０の切断を行うことができ、作業の安全性を高めることができる。
【図面の簡単な説明】
【００３２】
【図１】本発明の実施形態のファイルの切断治具の構成図で、（ａ）は斜視図、（ｂ）は分解正面図である。
【図２】図１の切断治具の使用時の状態を示し、（ａ）は斜視図、（ｂ）は（ａ）図のＩＩｂ−ＩＩｂ矢視断面図である。
【符号の説明】
【００３３】
Ｍ  切断治具
１  治具本体
２，３  ファイル挿入孔
２ａ，３ａ  凹溝
４  滑り止め
５  保持部（薄板部）
１１  第１の鋼板（第１の板材）
１２  第２の鋼板（第２の板材）
２０  ファイル
【図１】
2005324279.tif 000003
【図２】
2005324279.tif 000004